(57)【要約】【課題】自覚症状等から、可能性のある病名や、その病名の病気を予防治癒する際に好適な薬剤を手軽に検索できるようにする。【解決手段】ネットワークに接続されたサーバ１４と、該サーバ１４と前記ネットワークを通じてアクセスが可能とされたコンピュータ１６と、サーバ１４に接続された少なくとも医療情報データベースＤＢ２及び薬剤情報データベースＤＢ３と、コンピュータ１６を通じて入力された病状の情報から可能性のある病名を医療情報データベースＤＢ２から検索して表示する第１の手段（病名検索手段４４、送受信手段４０、Ｗｅｂブラウザ２８）と、検索された前記可能性のある病名に対応する薬剤に関する情報を薬剤情報データベースＤＢ３から検索して表示する第２の手段（薬剤情報検索手段４８、送受信手段４０、Ｗｅｂブラウザ２８）とを有する。【選択図】図２
2004133774.tif 000002
【特許請求の範囲】
【請求項１】
ネットワークに接続された１以上のサーバと、
前記１以上のサーバと前記ネットワークを通じてアクセスが可能とされたコンピュータと、
前記１以上のサーバに接続された少なくとも医療情報データベース及び薬剤情報データベースと、
前記コンピュータを通じて入力された病状の情報から可能性のある病名を前記医療情報データベースから検索して表示する第１の手段と、
検索された前記可能性のある病名に対応する薬剤に関する情報を前記薬剤情報データベースから検索して表示する第２の手段とを有することを特徴とする医療情報システム。
【請求項２】
請求項１記載の医療情報システムにおいて、
前記第２の手段は、前記検索された可能性のある病名のうち、前記コンピュータを通じて特定された病名に対応する薬剤に関する情報を前記薬剤情報データベースから検索して表示することを特徴とする医療情報システム。
【請求項３】
請求項１又は２記載の医療情報システムにおいて、
前記検索された可能性のある病名に対応する詳細情報を前記医療情報データベースから検索して表示する第３の手段を有することを特徴とする医療情報システム。
【請求項４】
請求項３記載の医療情報システムにおいて、
前記第３の手段は、前記検索された可能性のある病名のうち、前記コンピュータを通じて特定された病名に対応する詳細情報を前記医療情報データベースから検索して表示することを特徴とする医療情報システム。
【請求項５】
ネットワークに接続された１以上のサーバと、
前記１以上のサーバと前記ネットワークを通じてアクセスが可能とされたコンピュータと、
前記１以上のサーバに接続された少なくとも医療機関情報データベース及び地図情報データベースと、
前記コンピュータを通じて入力された住所の情報から該住所の近隣に存在する医療機関及び／又は薬局の少なくとも名称及び住所を前記医療機関情報データベースから検索して表示する第１の手段と、
前記入力された住所及びその近隣の地図画像を前記地図情報データベースから検索して表示する第２の手段と、
前記表示された地図画像に、少なくとも前記検索された医療機関及び／又は薬局の住所を示す指標を表示する第３の手段とを有することを特徴とする医療情報システム。
【請求項６】
請求項５記載の医療情報システムにおいて、
前記第３の手段は、前記検索された医療機関及び／又は薬局のうち、前記コンピュータを通じて特定された医療機関及び／又は薬局の住所を示す指標を表示することを特徴とする医療情報システム。
【請求項７】
請求項５又は６記載の医療情報システムにおいて、
前記第３の手段は、前記入力された住所を示す指標も併せて表示することを特徴とする医療情報システム。
【請求項８】
ネットワークに接続された１以上のサーバと、
前記１以上のサーバと前記ネットワークを通じてアクセスが可能とされたコンピュータと、
前記１以上のサーバに接続された少なくとも医療情報データベース、薬剤情報データベース、医療機関情報データベース及び地図情報データベースと、
前記コンピュータを通じて入力された病状の情報から可能性のある病名を前記医療情報データベースから検索して表示する第１の手段と、
検索された前記可能性のある病名に対応する薬剤に関する情報を前記薬剤情報データベースから検索して表示する第２の手段と、
前記コンピュータを通じて入力された住所の情報から該住所の近隣に存在する医療機関及び／又は薬局であって、かつ、前記検索された可能性のある病名のうち、前記コンピュータを通じて特定された病名に関連する医療機関及び／又は薬局の少なくとも名称及び住所を前記医療機関情報データベースから検索して表示する第３の手段と、
前記入力された住所及びその近隣の地図画像を前記地図情報データベースから検索して表示する第４の手段と、
前記表示された地図画像に、前記入力された住所を示す指標と、前記検索された医療機関及び／又は薬局の住所を示す指標とを表示する第５の手段とを有することを特徴とする医療情報システム。
【発明の詳細な説明】
【０００１】
【発明の属する技術分野】
本発明は、病状に対応する種々の医療情報や近隣の医療機関・薬局の所在地等をネットワークを介して簡単に入手することができる医療情報システムに関する。
【０００２】
【従来の技術】
従来において、一般の人が、医療に関する情報を入手する方法としては、書籍やインターネットによる検索が主となっている。
【０００３】
書籍による検索は、種々の情報を一度に見ることができるが、ある病状や症状から病名を特定することが困難であるという問題がある。
【０００４】
一方、インターネットによる検索は、例えば非特許文献１〜４並びに一般的な検索エンジンによる検索がある。
【０００５】
非特許文献１に係る検索エンジンは、いわゆる電子医学辞典であり、ＣＧＩ（Ｃｏｍｍｏｎ　ｇａｔｅｗａｙ　ｉｎｔｅｒｆａｃｅ）にて実現され、病気を検索することができる。具体的には、病名や部位を入力することで、そのキーワードに関する情報を検索することができるようになっており、５０音索引にて病名を検索できるようになっている。
【０００６】
非特許文献２に係る検索エンジンは、一般的に知られている病状に対する病名を検索することができるが、様々な階層に進んで検索する形式ではなく、ＨＴＭＬによる一覧表示の形式となっている。病状一覧からその考えれられる病名等が表示されるようになっている。
【０００７】
非特許文献３に係る検索エンジンは、病気で困っているユーザに対して、専門家の回答が得られるシステムとなっている。ユーザは特定のホームページから病気に関する相談事項を入力して送信すると、該相談事項が、ホームページ運営先にメールとして送信され、その相談事項に対する回答がメールとして返送されて来るというものである。
【０００８】
非特許文献４に係るゲームは、ビデオゲーム機を通じて気軽に病状に対応した病名などを検索できるようになっている。
【０００９】
また、従来技術として例えば特許文献１及び２がある。特許文献１では、ユーザが受診したい科と特定地域を入力することで、これらの入力情報に対応する医療機関を検索して表示し、ユーザがこの中から特定の医療機関を特定するシステムが開示されている。このシステムでは、現在の自覚症状を入力することで、その情報が、前記特定された医療機関に転送されるようになっている。
【００１０】
特許文献２では、医療機関の予約を自宅のコンピュータ（端末）から行えるシステムが開示され、特に、交通手段の選択を行えるという利点がある。
【００１１】
【特許文献１】
特開２００２−２４４０６号公報（図４〜図１０）
【特許文献２】
特開２００１−２２２６１８号公報（図２）
【００１２】
【非特許文献１】
メルクマニュアル医学情報「家庭版」、インターネット
＜ｈｔｔｐ／／ｍｍｈ．ｂａｎｙｕ．ｃｏ．ｊｐ＞
【非特許文献２】
家庭の医学、インターネット
＜ｈｔｔｐ／／ｗｗｗ．ｏｃｎ．ｊｐ／ｏｃｎ／ｍｅｍ／ｍ＃ｆｏｒｍ／ｍｅｄｉｃａｌ／ｔｏｐ．ｈｔｍｌ＞
【非特許文献３】
インターネット病気個別相談室、インターネット
＜ｈｔｔｐ／／ｗｗｗ．ａｓａｈｉ−ｎｅｔ．ｏｒ．　ｊｐ／￣ｆｅ４ｎ−ａｄｃ／ｂｙｏｕｋｉ．ｈｔｍｌ＞
【非特許文献４】
家庭の医学〜診断辞典〜、インターネット
＜ｈｔｔｐ／／ｗｗｗ．ａｓｋ−ｄｉｇｉｔａｌ．ｃｏ．ｊｐ／ｇａｍｅ／ｉｇａｋｕ／ｐｒｏｄｕｃｔ＃ｉｎｆｏ．ｈｔｍｌ＞
【００１３】
【発明が解決しようとする課題】
しかしながら、上述の非特許文献１は、病名がわかっていることが前提であり、部位に関する情報を検索しても膨大な情報が検索され、特定するまでに時間がかかるという問題がある。また、医療機関等の紹介を行うことはない。
【００１４】
非特許文献２は、病状が固定であり、ユーザが自由に入力することができないという問題がある。つまり、検索機能がない。この場合も医療機関等の紹介を行うことはない。
【００１５】
非特許文献３は、回答するのが人であり、病気の自動判別ではない。相談内容によっては、医療機関等の紹介も可能と思われるが、確実性はない。
【００１６】
非特許文献４は、テレビジョン受像機に対してスタンドアローンで設置されたビデオゲーム機上で実行されるビデオゲームであるため、日々進歩している治療技術や薬剤関係を反映させることが難しいという問題がある。
【００１７】
一般的な検索エンジンは、様々なキーワードから検索ができるが、検索される情報が膨大であるため、知りたいことを探すのに時間がかかるという問題がある。
【００１８】
特許文献１及び２は、上述した非特許文献１の場合と同様に、病名がわかっていることが前提であり、しかも、受診した後の処理について詳細に述べられているに過ぎない。つまり、現在の自覚症状から可能性のある病名は何か、あるいはどの科を受診したらよいのかなど、ユーザが最初に戸惑う問題を解決するまでには至っていない。
【００１９】
本発明はこのような課題を考慮してなされたものであり、自覚症状等から、可能性のある病名や、その病名の病気を予防治癒する際に好適な薬剤を手軽に検索することができ、ユーザが病気にかかった場合などにおいて、該ユーザが最初に戸惑う問題（病名は何か、受診すべき科は何か、どの薬剤を買ったらよいかなど）を簡単に解決することができる医療情報システムを提供することを目的とする。
【００２０】
また、本発明の他の目的は、例えばユーザの住所の近隣に存在する医療機関及び／又は薬局を一覧表示し、更に、地図画像上でそのポイントを示すことができ、近隣の医療機関や薬局の情報を迅速に知ることができる医療情報システムを提供することにある。
【００２１】
また、本発明の他の目的は、自覚症状等から、可能性のある病名や、その病名の病気を治療する際に好適な薬剤を手軽に検索することができ、更に、その病気を治療する上で好適な医療機関及び／又は薬剤が置いてある薬局の位置を地図情報として提示（医療機関等の紹介）することができ、ユーザが病気にかかった場合などにおいて、該ユーザが最初に戸惑う問題（病名は何か、受診すべき科は何か、どの薬剤を買ったらよいか、どの医療機関あるいは薬局に行ったらよいかなど）を迅速に解決することができる医療情報システムを提供することにある。
【００２２】
【課題を解決するための手段】
本発明に係る医療情報システムは、ネットワークに接続された１以上のサーバと、前記１以上のサーバと前記ネットワークを通じてアクセスが可能とされたコンピュータと、前記１以上のサーバに接続された少なくとも医療情報データベース及び薬剤情報データベースと、前記コンピュータを通じて入力された病状の情報から可能性のある病名を前記医療情報データベースから検索して表示する第１の手段と、検索された前記可能性のある病名に対応する薬剤に関する情報を前記薬剤情報データベースから検索して表示する第２の手段とを有することを特徴とする。
【００２３】
まず、ユーザがコンピュータを通じて病状（自覚症状など）の情報を入力すると、第１の手段によって、その病状の情報から可能性のある病名が医療情報データベースから検索され、表示される。具体的には、検索された情報（病名）は、第１の手段によってコンピュータに送信され、更にコンピュータに接続されたディスプレイを通じて表示される。
【００２４】
更に、第２の手段によって、前記可能性のある病名が示す病気を予防治癒する際に好適な薬剤に関する情報が薬剤情報データベースから検索され、表示される。この場合も、検索された薬剤に関する情報は、第２の手段によってコンピュータに送信され、更にコンピュータに接続されたディスプレイを通じて表示される。
【００２５】
従って、本発明においては、病状（自覚症状など）から、可能性のある病名や、その病名の病気を予防治癒する際に好適な薬剤を手軽に検索することができ、ユーザが病気にかかった場合などにおいて、該ユーザが最初に戸惑う事項（病名は何か、受診すべき科は何か、どの薬剤を買えばよいかなど）を簡単に解決することができる。
【００２６】
また、前記１以上のサーバは、各ユーザに対してネットワークを通じて医療情報を送るようにしているため、各ユーザに提供する情報に、日々進歩している治療技術や薬剤関係を容易に反映させることができるという利点がある。
【００２７】
そして、前記システムにおいて、前記第２の手段は、前記検索された可能性のある病名のうち、前記コンピュータを通じて特定された病名に対応する薬剤に関する情報を前記薬剤情報データベースから検索して表示するようにしてもよい。
【００２８】
また、前記検索された可能性のある病名に対応する詳細情報を前記医療情報データベースから検索して表示する第３の手段を有するようにしてもよい。
【００２９】
この場合、上述した薬剤のほか、対処方法等の詳細情報（例えば医療機関にかかるまでの応急措置など）を入手することができ、夜間や休日など、医療機関・薬局が営業していない時間帯における不安を解消させることができる。
【００３０】
また、前記第３の手段は、前記検索された可能性のある病名のうち、前記コンピュータを通じて特定された病名に対応する詳細情報を前記医療情報データベースから検索して表示するようにしてもよい。
【００３１】
次に、本発明に係る医療情報システムは、ネットワークに接続された１以上のサーバと、前記１以上のサーバと前記ネットワークを通じてアクセスが可能とされたコンピュータと、前記１以上のサーバに接続された少なくとも医療機関情報データベース及び地図情報データベースと、前記コンピュータを通じて入力された住所の情報から該住所の近隣に存在する医療機関及び／又は薬局の少なくとも名称及び住所を前記医療機関情報データベースから検索して表示する第１の手段と、前記入力された住所及びその近隣の地図画像を前記地図情報データベースから検索して表示する第２の手段と、前記表示された地図画像に、少なくとも前記検索された医療機関及び／又は薬局の住所を示す指標を表示する第３の手段とを有することを特徴とする。
【００３２】
まず、ユーザが特定の住所をコンピュータを通じて入力すると、第１の手段によって、入力された住所の近隣に存在する医療機関及び／又は薬局の少なくとも名称及び住所が医療機関情報データベースから検索され、表示される。具体的には、検索された医療機関及び／又は薬局の少なくとも名称及び住所は、第１の手段によってコンピュータに送信され、更にコンピュータに接続されたディスプレイを通じて表示される。
【００３３】
また、第２の手段によって、前記入力された住所及びその近隣の地図画像が地図情報データベースから検索され、表示される。この場合も、検索された地図画像は、第２の手段によってコンピュータに送信され、更にコンピュータに接続されたディスプレイを通じて表示される。
【００３４】
更に、第３の手段によって、前記表示された地図画像に、少なくとも前記検索された医療機関及び／又は薬局の住所を示す指標が表示される。この場合、例えば前記検索された医療機関及び／又は薬局の地図画像上での座標が、第３の手段によってコンピュータに送信され、コンピュータに接続されたディスプレイに表示されている地図画像の前記座標上に、前記検索された医療機関及び／又は薬局を示す指標が表示される。
【００３５】
あるいは、コンピュータ上において、前記検索された医療機関及び／又は薬局の住所から地図画像上での座標を演算し、コンピュータに接続されたディスプレイに表示されている地図画像の前記座標上に、前記検索された医療機関及び／又は薬局を示す指標が表示される。
【００３６】
これにより、例えばユーザの住所の近隣に存在する医療機関及び／又は薬局を一覧表示し、更に、地図画像上でそのポイントを示すことができ、近隣の医療機関や薬局の情報を迅速に知ることができる。
【００３７】
そして、このシステムにおいて、前記第３の手段は、前記検索された医療機関及び／又は薬局のうち、前記コンピュータを通じて特定された医療機関及び／又は薬局の住所を示す指標を表示するようにしてもよい。
【００３８】
また、前記第３の手段は、前記入力された住所を示す指標も併せて表示するようにしてもよい。この場合、例えば自宅から医療機関や薬局までの距離や交通手段等を容易に知ることができる。
【００３９】
次に、本発明に係る医療情報システムは、ネットワークに接続された１以上のサーバと、前記１以上のサーバと前記ネットワークを通じてアクセスが可能とされたコンピュータと、前記１以上のサーバに接続された少なくとも医療情報データベース、薬剤情報データベース、医療機関情報データベース及び地図情報データベースと、前記コンピュータを通じて入力された病状の情報から可能性のある病名を前記医療情報データベースから検索して表示する第１の手段と、検索された前記可能性のある病名に対応する薬剤に関する情報を前記薬剤情報データベースから検索して表示する第２の手段と、前記コンピュータを通じて入力された住所の情報から該住所の近隣に存在する医療機関及び／又は薬局であって、かつ、前記検索された可能性のある病名のうち、前記コンピュータを通じて特定された病名に関連する医療機関及び／又は薬局の少なくとも名称及び住所を前記医療機関情報データベースから検索して表示する第３の手段と、前記入力された住所及びその近隣の地図画像を前記地図情報データベースから検索して表示する第４の手段と、前記表示された地図画像に、前記入力された住所を示す指標と、前記検索された医療機関及び／又は薬局の住所を示す指標とを表示する第５の手段とを有することを特徴とする。
【００４０】
病状（自覚症状など）から、可能性のある病名や、その病名の病気を治療する際に好適な薬剤を手軽に検索することができ、更に、その病気を治療する上で好適な医療機関及び／又は薬剤が置いてある薬局の位置を地図情報として提示（医療機関等の紹介）することができ、ユーザが病気にかかった場合などにおいて、該ユーザが最初に戸惑う問題（病名は何か、受診すべき科は何か、どの薬剤を買ったらよいか、どの医療機関あるいは薬局に行ったらよいかなど）を迅速に解決することができる。
【００４１】
【発明の実施の形態】
以下、本発明に係る医療情報システムの実施の形態例を図１〜図１５を参照しながら説明する。
【００４２】
本実施の形態に係る医療情報システム１０は、図１に示すように、ネットワーク１２に接続されたサーバ１４と、該サーバ１４とネットワーク１２を通じてアクセスが可能とされた１以上のコンピュータ１６とを有する。各コンピュータ１６は、前記サーバ１４のクライアントとして位置付けされている。また、ネットワーク１２は、本実施の形態では、インターネットを用いている。
【００４３】
サーバ１４には、複数の医療関係のデータベースＤＢ１〜ＤＢ６が接続されている。即ち、サーバ１４には、ホームページやＷｅｂページの画像データが格納されたＷｅｂページデータベースＤＢ１と、１以上の病状の組み合わせによって決定付けられる病名の情報が多数配列された医療情報データベースＤＢ２と、各種病名に対応する薬剤の情報が多数配列された薬剤情報データベースＤＢ３と、各種薬剤に対応する商品画像データがそれぞれ格納された薬剤画像データベースＤＢ４と、医療機関や薬局の名称や住所等の情報が多数配列された医療機関情報データベースＤＢ５と、少なくとも日本の地図画像データが格納された地図情報データベースＤＢ６とが接続されている。
【００４４】
各コンピュータ１６は、図２に示すように、画像やテキスト等を表示するディスプレイ２０と、マウスやキーボード等の入力装置２２と、ハードディスク２４に対してアクセスを行うハードディスクドライブ（ＨＤＤ）２６等が接続されている。
【００４５】
ハードディスク２４には、ネットワーク１２に接続された前記サーバ１４を含む様々なサーバから提供されるＷｅｂページを閲覧するためのＷｅｂブラウザ２８等が記録されている。このＷｅｂブラウザ２８は、ユーザからの要求に従って起動（メインメモリに書き込まれて、ＣＰＵ上で実行）され、所望のＷｅｂページをディスプレイ２０の画面上に表示すると共に、Ｗｅｂページのほか、ネットワーク１２を通じて転送されてきたプログラム等をＨＤＤ２６を介してハードディスク２４にダウンロードできるようになっている。また、このＷｅｂブラウザ２８は、入力装置２２を通じて入力されたデータをユーザからの送信要求に従って、現在接続中のサーバに対して送信する。
【００４６】
このＷｅｂブラウザ２８は、ディスプレイ２０に表示されたＷｅｂページに対して、ユーザの指示ポイントを変形表示させたり、カラー表示を変化させたりする機能や、所定箇所に動画像や静止画像を表示させたり、表示画像中の所望箇所に指標を表示する等の機能を有する。
【００４７】
また、このＷｅｂブラウザ２８は、Ｗｅｂページが表示されている状態でユーザからの操作入力データを例えばテーブルやリストの形式で確保する機能を有する。この操作入力データが配列されたテーブルやリストは、上述したように、ユーザから送信要求があった場合に、該Ｗｅｂブラウザ２８を通じてサーバ１４に送信される。
【００４８】
一方、サーバ１４は、コンピュータ１６からの要求に従って、医療情報の検索に関するプログラムが実行されるようになっている。
【００４９】
このプログラムは、要求のあったコンピュータ１６からの送信情報を受け取り、作成されたＷｅｂページを前記コンピュータ１６に送信する送受信手段４０と、ＷｅｂページデータベースＤＢ１から必要なＷｅｂページの画像データを読み出して、様々な情報を組み込む等の編集を行って所望のＷｅｂページを作成するページ編集手段４２と、前記コンピュータ１６から送信されてきた病状の情報から可能性のある病名を医療情報データベースＤＢ２から検索する病名検索手段４４と、検索された可能性のある病名の病気に関する詳細情報（病気の説明、発症原因、症状、治療方法、応急措置等）を医療情報データベースＤＢ２から検索する詳細情報検索手段４６と、検索された前記可能性のある病名の病気を予防治癒するのに好適な薬剤に関する情報（薬剤名、特徴、販売元、価格等）を薬剤情報データベースＤＢ３から検索する薬剤情報検索手段４８とを有する。
【００５０】
また、前記プログラムは、ユーザによって特定された薬剤の商品画像データを薬剤画像データベースＤＢ４から検索する薬剤画像検索手段５０と、コンピュータ１６から送信されてきた住所の情報から該住所の近隣の医療機関及び／又は薬局の情報（名称、住所、診療科目、診察時間等）を医療機関情報データベースＤＢ５から検索する医療機関情報検索手段５２と、前記住所の近隣の地図画像データを地図情報データベースＤＢ６から検索する地図情報検索手段５４と、ユーザが指定した住所並びにその近隣の医療機関及び／又は薬局の住所の情報から、これらの住所の前記地図画像上での座標を演算する座標演算手段５６とを有する。
【００５１】
前記ページ編集手段４２にて作成編集されたＷｅｂページの画像データは、送受信手段４０を介してコンピュータ１６に送信される。
【００５２】
次に、本実施の形態に係る医療情報システム１０の処理動作について図３〜図７のフローチャート並びに図８〜図１４の画面表示例を参照しながら説明する。
【００５３】
まず、図３のステップＳ１において、コンピュータ１６のＷｅｂブラウザ２８を通じてサーバ１４をアクセスする。
【００５４】
サーバ１４は、ステップＳ２において、ページ編集手段４２を通じて、ＷｅｂページデータベースＤＢ１から検索条件設定画面１００（図８参照）に関するＷｅｂページの画像データを読み出し、更に、ステップＳ３において、該画像データを送受信手段４０を通じてコンピュータ１６に送信する。
【００５５】
コンピュータ１６は、ステップＳ４において、Ｗｅｂブラウザ２８を通じて受け取った画像データをディスプレイ２０に表示する。即ち、ディスプレイ２０の画面上に、図８に示すように、検索条件設定画面１００が表示される。この段階で、コンピュータ１６は、前記サーバ１４による医療情報に関するサイトにつながったことになる。
【００５６】
この検索条件設定画面１００は、図８に示すように、病状を項目選択方式で入力する欄と、その他の病状を記述式で入力（フリー入力）する欄と、自宅地域の状況を項目選択方式で入力する欄と、送信要求を示す送信スイッチ１０２（アイコン）を有する。
【００５７】
ステップＳ５において、ユーザが病状や自宅地域の状況を入力すると、これら入力されたデータ列がＷｅｂブラウザにてテーブルやリストとして確保される。
【００５８】
その後、ステップＳ６において、ユーザが送信スイッチ１０２を操作（クリック）することで、前記テーブルやリストがＷｅｂブラウザ２８を通じてサーバ１４に送信される。
【００５９】
サーバ１４は、ステップＳ７において、病名検索手段４４を通じて、病名検索を行う。具体的には、受け取られたデータ（病状等を示すデータ）に基づいて、可能性のある１以上の病名の情報が医療情報データベースＤＢ２から検索される。
【００６０】
また、サーバ１４は、ステップＳ８において、ページ編集手段４２を通じて、ＷｅｂページデータベースＤＢ１から病名一覧表画面１０４（図９参照）に関するＷｅｂページの画像データを読み出し、更に、該画像データに、前記検索された１以上の病名の情報を組み込んで病名一覧表画面１０４に関するＷｅｂページの画像データを作成する。
【００６１】
そして、ステップＳ９において、前記作成編集されたＷｅｂページの画像データ（病状一覧表画面１０４）は、送受信手段４０を通じて送信される。
【００６２】
コンピュータ１６は、ステップＳ１０において、Ｗｅｂブラウザ２８を通じて受け取った画像データをディスプレイ２０に出力することにより、ディスプレイ２０の画面上に、図９に示すように、病名一覧表画面１０４が表示される。この場合、入力された病状に対して可能性のある１以上の病名の情報が一覧表の形態で表示されることになる。
【００６３】
コンピュータ１６は、ステップＳ１１において、ユーザからの更なる病状の追加入力（検索条件の絞込み）があるか否かを判別する。病状の追加入力があれば、前記ステップＳ６以降の処理が繰り返されることになる。即ち、追加入力のあった病状を加味し、その可能性のある病名が検索されて、その検索された病名がディスプレイ２０に表示されることになる。
【００６４】
追加入力がないと判別された場合は、図４のステップＳ１２に進み、病名が特定されたか否かが判別される。この特定は、例えばユーザがマウスを動かしてポインタをいずれかの病名に合わせてクリックすることで行われる。
【００６５】
病名が特定されると、ステップＳ１３において、前記特定された病名の情報がＷｅｂブラウザ２８を介してサーバ１４に送信される。
【００６６】
サーバ１４は、図４のステップＳ１４において、詳細情報検索手段４６を通じて、前記特定された病名の病気に関する詳細情報を医療情報データベースＤＢ２から検索する。更に、サーバ１４は、ステップＳ１５において、薬剤情報検索手段４８を通じて、前記特定された病名の病気を予防治癒する上で好適な１以上の薬剤の情報を薬剤情報データベースＤＢ３から検索する。
【００６７】
また、サーバ１４は、ステップＳ１６において、ページ編集手段４２を通じて、ＷｅｂページデータベースＤＢ１から詳細情報一覧表画面１０６（図１０参照）に関するＷｅｂページの画像データを読み出し、更に、該画像データに、前記検索された詳細情報と、１以上の薬剤の情報とを組み込んで詳細情報一覧表画面１０６に関するＷｅｂページの画像データを作成する。
【００６８】
そして、ステップＳ１７において、前記作成編集されたＷｅｂページの画像データ（詳細情報一覧表画面１０６）は、送受信手段４０を通じて送信される。
【００６９】
コンピュータ１６は、ステップＳ１８において、Ｗｅｂブラウザ２８を通じて受け取った画像データをディスプレイ２０に出力することにより、ディスプレイ２０の画面上に、図１０に示すように、詳細情報一覧表画面１０６が表示される。この場合、特定された病名の病気に関する詳細情報が表示されると共に、特定された病名の病気を予防治癒する上で好適な１以上の薬剤の情報が一覧表の形態で表示されることになる。
【００７０】
次に、ステップＳ１９において、ユーザからの入力を待つ。入力があった段階で、図５のステップＳ２０に進み、医療機関の検索要求であるかあるいは薬剤の特定であるかが判別される。この判別は、詳細情報一覧表画面１０６上の「医療機関・薬局検索へ」へのマウスによるクリック操作であるか、あるいはいずれかの薬剤名へのマウスによるクリック操作であるかによって行われる。医療機関の検索要求であれば、次のステップＳ２１に進み、医療機関検索処理に入る。この処理については、後述する。
【００７１】
前記ステップＳ２０において、薬剤の特定であると判別された場合は、ステップＳ２２に進み、前記特定された薬剤名の情報がＷｅｂブラウザ２８を介してサーバ１４に送信される。
【００７２】
サーバ１４は、図５のステップＳ２３において、薬剤情報検索手段４８を通じて、前記特定された薬剤に関する詳細情報を薬剤情報データベースＤＢ３から検索する。更に、サーバ１４は、ステップＳ２４において、薬剤画像検索手段５０を通じて、前記特定された薬剤の商品画像データを薬剤画像データベースＤＢ４から検索する。
【００７３】
また、サーバ１４は、ステップＳ２５において、ページ編集手段４２を通じて、ＷｅｂページデータベースＤＢ１から薬剤詳細情報画面１０８（図１１参照）に関するＷｅｂページの画像データを読み出し、更に、該画像データに、前記検索された詳細情報と、薬剤の商品画像データとを組み込んで薬剤詳細情報画面１０８に関するＷｅｂページの画像データを作成する。
【００７４】
そして、ステップＳ２６において、前記作成編集されたＷｅｂページの画像データ（薬剤詳細情報画面１０８）は、送受信手段４０を通じて送信される。
【００７５】
コンピュータ１６は、ステップＳ２７において、Ｗｅｂブラウザ２８を通じて受け取った画像データをディスプレイ２０に出力することによって、ディスプレイ２０の画面上に、図１１に示すように、薬剤詳細情報画面１０８が表示される。この場合、特定された薬剤に関する詳細情報が表示されると共に、特定された薬剤の商品画像データが所定箇所に表示されることになる。
【００７６】
一方、ステップＳ２１における医療機関検索処理は、まず、図６のステップＳ１０１において、コンピュータ１６のＷｅｂブラウザ２８を通じてサーバ１４をアクセスする。
【００７７】
サーバ１４は、ステップＳ１０２において、ページ編集手段４２を通じて、ＷｅｂページデータベースＤＢ１から医療機関検索画面１１０（図１２参照）に関するＷｅｂページの画像データを読み出し、更に、ステップＳ１０３において、該画像データを送受信手段４０を通じてコンピュータ１６に送信する。
【００７８】
コンピュータ１６は、ステップＳ１０４において、Ｗｅｂブラウザ２８を通じて受け取った画像データをディスプレイ２０に表示する。この段階で、ディスプレイ２０の画面上に、図１２に示すように、医療機関検索画面１１０が表示される。
【００７９】
この医療機関検索画面１１０は、図１２に示すように、例えばユーザの自宅の住所等を記述式で入力（フリー入力）する欄と、医療機関あるいは薬局の択一選択方式で入力する欄と、送信要求を示す送信スイッチ１１２（アイコン）とを有する。
【００８０】
ステップＳ１０５において、ユーザが自宅の住所等や医療機関又は薬局の別を入力すると、これら入力されたデータ列がＷｅｂブラウザ２８にてテーブルやリストとして確保される。
【００８１】
その後、ステップＳ１０６において、ユーザが送信スイッチ１１２を操作（クリック）することで、前記テーブルやリストがＷｅｂブラウザ２８を通じてサーバ１４に送信される。
【００８２】
サーバ１４は、ステップＳ１０７において、医療機関情報検索手段５２を通じて、医療機関あるいは薬局の検索を行う。具体的には、前記送信されてきた住所の情報から該住所の近隣に存在する医療機関あるいは薬局の情報を医療機関情報データベースＤＢ５から検索する。
【００８３】
また、サーバ１４は、ステップＳ１０８において、ページ編集手段４２を通じて、ＷｅｂページデータベースＤＢ１から医療機関一覧表画面１１４（図１３参照）に関するＷｅｂページの画像データを読み出し、更に、該画像データに、前記検索された医療機関あるいは薬局の情報を組み込んで医療機関一覧表画面１１４に関するＷｅｂページの画像データを作成する。
【００８４】
そして、ステップＳ１０９において、前記作成編集されたＷｅｂページの画像データ（医療機関一覧表画面１１４）は、送受信手段４０を通じて送信される。
【００８５】
コンピュータ１６は、ステップＳ１１０において、Ｗｅｂブラウザ２８を通じて受け取った画像データをディスプレイ２０に出力することにより、ディスプレイ２０の画面上に、図１３に示すように、医療機関一覧表画面１１４が表示される。この場合、入力された住所の近隣に存在する医療機関あるいは薬局の情報が一覧表の形態で表示されることになる。
【００８６】
また、コンピュータ１６は、図７のステップＳ１１１において、医療機関あるいは薬局が特定されたか否かを判別する。この特定は、例えばユーザがマウスを動かしてポインタをいずれかの医療機関名あるいは薬局名に合わせてクリックすることで行われる。
【００８７】
医療機関名あるいは薬局名が特定されると、ステップＳ１１２において、前記特定された医療機関名あるいは薬局名の情報がＷｅｂブラウザ２８を介してサーバ１４に送信される。
【００８８】
サーバ１４は、ステップＳ１１３において、医療機関情報検索手段５２を通じて、前記特定された医療機関あるいは薬局に関する詳細情報を医療機関情報データベースＤＢ５から検索する。
【００８９】
また、サーバ１４は、ステップＳ１１４において、地図情報検索手段５４を通じて、前記住所の近隣の地図画像データを地図情報データベースＤＢ６から検索し、更に、ステップＳ１１５において、座標演算手段５６を通じて、前記ユーザが入力した住所の情報並びに前記特定された医療機関あるいは薬局の住所の情報から、これらの住所の前記地図画像上での座標を演算する。
【００９０】
次いで、サーバ１４は、ステップＳ１１６において、ページ編集手段４２を通じて、ＷｅｂページデータベースＤＢ１から医療機関詳細画面１１６（図１４参照）に関するＷｅｂページの画像データを読み出し、該画像データに、前記医療機関あるいは薬局に関する詳細情報と、検索された地図画像データとを組み込む。
【００９１】
また、ページ編集手段４２は、ステップＳ１１７において、前記組み込まれた地図画像データのうち、受け取った座標データに対応する位置に指標１１８（図１４中、「○」参照）及び１２０（図１４中、「●」参照）などの画像データを組み込む（描画する）。この段階で、医療機関詳細画面１１６に関するＷｅｂページの画像データが作成されることになる。
【００９２】
そして、ステップＳ１１８において、前記作成編集されたＷｅｂページの画像データ（医療機関詳細画面１１６）は、送受信手段４０を通じて送信される。
【００９３】
コンピュータ１６は、ステップＳ１１９において、Ｗｅｂブラウザ２８を通じて受け取った画像データをディスプレイ２０に出力することにより、ディスプレイ２０の画面上に、図１４に示すように、医療機関詳細画面１１６が表示される。この場合、特定された医療機関あるいは薬局に関する詳細情報が表示されると共に、入力された住所の近隣の地図画像データが所定箇所に表示されることになる。
【００９４】
更に、この例では、前記所定箇所に表示された地図画像のうち、入力された住所に対応する位置に指標１１８が表示され、特定された医療機関あるいは薬局の位置に指標１２０が表示される。指標１１８は、例えば青色で表示され、特定された医療機関あるいは薬局の住所に対応する指標１２０は、例えば赤色で表示される。
【００９５】
図５の説明に戻り、次のステップＳ２８において、最初の設定画面（検索条件設定画面１００）の表示の要求があったか否かが判別される。要求があれば、ステップＳ１以降の処理に戻る。
【００９６】
そして、前記検索条件設定画面１００の表示要求がなく、この医療情報の検索に関するプログラムに対する終了要求があった段階で、該プログラムは終了する。
【００９７】
なお、各画面が表示されている段階において、ユーザから要求があれば、それぞれ前の画面に戻るなどの処理も行われることはもちろんである。
【００９８】
また、ユーザによって入力された住所並びに特定された医療機関あるいは薬局の住所の地図画像上での座標をサーバ１４側で演算するようにしたが、コンピュータ１６において演算するようにしてもよい。
【００９９】
このように、本実施の形態に係る医療情報システム１０においては、病状（自覚症状など）から可能性のある病名を検索し、更にその病名の病気を予防治癒する際に好適な薬剤を手軽に検索することができ、ユーザが病気にかかった場合などにおいて、該ユーザが最初に戸惑う事項（病名は何か、受診すべき科は何か、どの薬剤を買えばよいかなど）を簡単に解決することができる。
【０１００】
特に、サーバ１４は、各ユーザに対してネットワーク１２を通じて医療情報を送るようにしているため、各ユーザに提供する情報に、日々進歩している治療技術や薬剤関係を容易に反映させることができるという利点がある。
【０１０１】
また、特定した病名に関する詳細情報を医療情報データベースＤＢ２から検索して表示するようにしたので、上述した薬剤のほか、対処方法などの詳細情報（例えば医療機関にかかるまでの応急措置など）を入手することができ、夜間や休日など、医療機関・薬局が営業していない時間帯におけるユーザの不安を解消させることができる。
【０１０２】
また、検索条件設定画面１００等において、病状等を項目選択方式で入力できるようにしているため、入力操作が容易になり、操作の手軽さを更に向上させることができる。
【０１０３】
また、本実施の形態に係る医療情報システム１０は、例えばユーザの住所の近隣に存在する医療機関や薬局を一覧表示し、更に、地図画像上でそのポイントを示すことができ、近隣の医療機関の情報を迅速に知ることができる。しかも、ユーザによって入力された住所を示す指標１１８も併せて表示するようにしたので、例えば自宅から医療機関や薬局までの距離や交通手段等を容易に知ることができる。また、病気になった場合に、どの医療機関あるいは薬局に行ったらよいかを迅速に知ることができる。
【０１０４】
上述の例では、医療情報に関するサイトに１つのサーバ１４を設置した例を示したが、図１５の変形例に係る医療情報システム１０ａに示すように、サイト側において複数のサーバ（第１〜第４のサーバ１３０〜１３６）を設置するようにしてもよい。
【０１０５】
例えば第１のサーバ１３０において送受信手段４０の処理とページ編集手段４２の処理とを行わせ、第２のサーバ１３２において病名検索手段４４の処理と詳細情報検索手段４６の処理とを行わせ、第３のサーバ１３４において薬剤情報検索手段４８の処理と薬剤画像検索手段５０の処理とを行わせ、第４のサーバ１３６において医療機関情報検索手段５２の処理と地図情報検索手段５４の処理と座標演算手段５６の処理を行わせるなど、様々な組み合わせが考えられる。
【０１０６】
複数のサーバを設置することで、各サーバでの処理の負担を軽くすることができ、処理の高速化を図ることができる。この場合、ユーザインターフェースにおいて、応答時間の短縮化や応答時間の変動を少なくすることができる。また、各処理の保守についても他のサーバと独立して行うことができるため、システム管理が容易になる。但し、１つのサーバ１４のみを設置する場合と比してコストが高くなるおそれがあるため、コストや処理の高速化等のバランスを考慮してサーバの個数等を決定すればよい。
【０１０７】
また、上述の例では、ユーザによる病状の入力から病名の特定、薬剤の特定を経て、医療機関の検索要求を行うようにしたが、その他、ユーザによる要求に従って直接医療機関検索処理を行えるようにしてもよい。
【０１０８】
例えば、コンピュータ１６に接続されているディスプレイ２０の画面上にアイコン（この場合、医療機関検索処理を起動させるためのアイコン）を表示させ、ユーザがこのアイコンに対して例えばクリック操作することで、図６のステップＳ１０１に制御を移すようにすればよい。
【０１０９】
これにより、ユーザは病気に拘わらずいつでも例えばユーザの住所の近隣に存在する医療機関や薬局を一覧表示し、更に、地図画像上でそのポイントを確認することができ、近隣の医療機関や薬局の位置や情報を迅速に知ることができる。
【０１１０】
また、上述の例の変形例としては、例えばネットワーク１２上で薬剤の購入が可能な別のサイトとリンクさせるようにしてもよい。例えば図１１に示す薬剤詳細情報画面１０８を表示させている段階から、図示しない薬剤購入を示すアイコンをクリックすることで、Ｗｅｂブラウザ２８が前記別のサイトにアクセスして、該別のサイトのホームページを表示させるなどの処理を行う。
【０１１１】
また、他の変形例としては、図示しない種々のアイコンを操作することで、様々な専門家による複数のサイトへのリンクを可能にしておき、上述した医療情報に関するサイトから、医療相談に関するサイト、育児相談に関するサイト、介護相談に関するサイト等に任意に接続できるようにしてもよい。
【０１１２】
なお、本発明に係る医療情報システムは、上述の実施の形態に限らず、本発明の要旨を逸脱することなく、種々の構成を採り得ることはもちろんである。
【０１１３】
【発明の効果】
以上説明したように、本発明に係る医療情報システムによれば、自覚症状等から、可能性のある病名や、その病名の病気を予防治癒する際に好適な薬剤を手軽に検索することができ、ユーザが病気にかかった場合などにおいて、該ユーザが最初に戸惑う問題（病名は何か、受診すべき科は何か、どの薬剤を買ったらよいかなど）を簡単に解決することができる。
【０１１４】
また、本発明に係る医療情報システムによれば、例えばユーザの住所の近隣に存在する医療機関や薬局を一覧表示し、更に、地図画像上でそのポイントを示すことができ、近隣の医療機関の情報を迅速に知ることができる。
本発明に係る医療情報システムによれば、自覚症状等から、可能性のある病名や、その病名の病気を治療する際に好適な薬剤を手軽に検索することができ、更に、その病気を治療する上で好適な医療機関及び／又は薬剤が置いてある薬局の位置を地図情報として提示（医療機関等の紹介）することができ、ユーザが病気にかかった場合などにおいて、該ユーザが最初に戸惑う問題（病名は何か、受診すべき科は何か、どの薬剤を買ったらよいか、どの医療機関あるいは薬局に行ったらよいかなど）を迅速に解決することができる。
【図面の簡単な説明】
【図１】本実施の形態に係る医療情報システムを示す構成図である。
【図２】本実施の形態に係る医療情報システムにおけるコンピュータとサーバの機能を示すブロック図である。
【図３】本実施の形態に係る医療情報システムの処理動作を示すフローチャート（その１）である。
【図４】本実施の形態に係る医療情報システムの処理動作を示すフローチャート（その２）である。
【図５】本実施の形態に係る医療情報システムの処理動作を示すフローチャート（その３）である。
【図６】本実施の形態に係る医療情報システムにおける医療機関検索処理を示すフローチャート（その１）である。
【図７】本実施の形態に係る医療情報システムにおける医療機関検索処理を示すフローチャート（その２）である。
【図８】検索条件設定画面の表示例を示す説明図である。
【図９】病名一覧表画面の表示例を示す説明図である。
【図１０】詳細情報一覧表画面の表示例を示す説明図である。
【図１１】薬剤詳細情報画面の表示例を示す説明図である。
【図１２】医療機関検索画面の表示例を示す説明図である。
【図１３】医療機関一覧表画面の表示例を示す説明図である。
【図１４】医療機関詳細画面の表示例を示す説明図である。
【図１５】本実施の形態に係る医療情報システムの変形例を示す構成図である。
【符号の説明】
１０、１０ａ…医療情報システム　　　１２…ネットワーク
１４…サーバ　　　　　　　　　　　　１６…コンピュータ
４２…ページ編集手段　　　　　　　　４４…病名検索手段
４６…詳細情報検索手段　　　　　　　４８…薬剤情報検索手段
５０…薬剤画像検索手段　　　　　　　５２…医療機関情報検索手段
５４…地図情報検索手段　　　　　　　５６…座標演算手段
１３０…第１のサーバ　　　　　　　　１３２…第２のサーバ
１３４…第３のサーバ　　　　　　　　１３６…第４のサーバ
【図１】
2004133774.tif 000003
【図２】
2004133774.tif 000004
【図３】
2004133774.tif 000005
【図４】
2004133774.tif 000006
【図５】
2004133774.tif 000007
【図６】
2004133774.tif 000008
【図７】
2004133774.tif 000009
【図８】
2004133774.tif 000010
【図９】
2004133774.tif 000011
【図１０】
2004133774.tif 000012
【図１１】
2004133774.tif 000013
【図１２】
2004133774.tif 000014
【図１３】
2004133774.tif 000015
【図１４】
2004133774.tif 000016
【図１５】
2004133774.tif 000017